【事件の表示】
　商願２００３−　４０６２５拒絶査定不服審判事件について、次のとおり審決する。
【結　論】
　原査定を取り消す。
　本願商標は、登録すべきものとする。
【理　由】
第１　本願商標　
　本願商標は、別掲（１）のとおりの構成よりなり、願書記載のとおりの商品及び役務を指定商品及び指定役務として、平成１５年５月１９日に登録出願され、その後、平成１５年１２月１９日付け手続補正書により、本願指定商品及び指定役務中、第３６類及び第４２類に属する指定役務については、前記手続補正書記載のとおりの指定役務に補正されたものである。　
　
第２　原査定の拒絶の理由の要点　
　原査定の拒絶の理由は、以下のとおりである。　
１．本願指定役務中には、公認会計士・税理士でなく、かつ、その資格を得ることができない法人である出願人が、業として行うことを禁止されている役務の「税務相談，税務代理」を含むものである。　
　したがって、本願商標は、商標法第３条第１項柱書きの要件を具備しない。
２．本願商標は、その構成中に「日本の国内で外国企業の株券を発行し流通させる方式の一つ」で日本身代わり証券の英語表記の「Japan Certificate」の略語である「ＪＣ」の文字を有してなるものであるから、これを本願指定役務中、「有価証券の売買」以外に使用するときは、役務の品質について誤認を生ずるおそれがある。　
　したがって、本願商標は、商標法第４条第１項第１６号に該当する。　
３．本願商標は、以下の登録商標と同一又は類似の商標であって、その商標に係る指定商品又は指定役務と同一又は類似の商品又は役務について使用をするものであるから、商標法第４条第１項第１１号に該当する。　
（１）登録第１７８６３４４号商標　
別掲（２）のとおりの構成よりなり、昭和５７年６月１０日登録出願、第１７類に属する商標登録原簿に記載のとおりの商品を指定商品として昭和６０年６月２５日に設定登録され、その後、平成７年１０月３０日に商標権存続期間の更新登録がなされているものである。　
（２）登録第２６４１３２３号商標　
別掲（３）のとおりの構成よりなり、平成４年２月５日登録出願、第２６類に属する商標登録原簿に記載のとおりの商品を指定商品として平成６年３月３１日に設定登録されたものであるが、その後、該商標権は、商標登録原簿の記載によれば、平成１６年３月３１日存続期間満了により消滅し、平成１６年１２月１５日に商標権の登録の抹消がなされているものである。　
（３）登録第２７１４９０８号商標　
「Ｆｉｔｓ」の文字を横書きしてなり、昭和６１年１２月２７日登録出願、第２０類に属する商標登録原簿に記載のとおりの商品を指定商品として平成８年６月２８日に設定登録されたものであり、現に有効に存続しているものである。　
（４）登録第２７１６８５２号商標　
「ＦＩＴＳ」の文字を横書きしてなり、平成１年８月１７日登録出願、第１１類に属する商標登録原簿に記載のとおりの商品を指定商品として平成８年１０月３１日に設定登録されたものであり、現に有効に存続しているものである。　
（５）登録第３２６０７７２号商標　
「ＦＩＴＳ」の文字を横書きしてなり、平成４年１１月２日登録出願、第３７類に属する商標登録原簿に記載のとおりの役務を指定役務として平成９年２月２４日に設定登録されたものであり、現に有効に存続しているものである。　
（６）登録第３２８４８２５号商標　
「ＨＩＴＳ’」の文字と「ハイツ」の文字を上下２段に横書きしてなり、平成５年１２月２９日登録出願、第２８類に属する商標登録原簿に記載のとおりの商品を指定商品として平成９年４月１８日に設定登録されたものであり、現に有効に存続しているものである。　
（７）登録第４０７７４８１号商標　
「ＦＩＴＳ」の文字を横書きしてなり、平成７年２月６日登録出願、第３７類に属する商標登録原簿に記載のとおりの役務を指定役務として平成９年１０月３１日に設定登録されたものであり、現に有効に存続しているものである。　
（８）登録第４２２３３５１号商標　
「ＨＩＴＳ」の文字を横書きしてなり、平成７年６月７日登録出願、第３８類に属する商標登録原簿に記載のとおりの役務を指定役務として平成１０年１２月１８日に設定登録されたものであり、現に有効に存続しているものである。　
（９）登録第４２７４３２８号商標　
「ＦＩＴＳ」の文字を横書きしてなり、平成９年１２月１日登録出願、第４２類に属する商標登録原簿に記載のとおりの役務を指定役務として平成１１年５月２１日に設定登録されたものであり、現に有効に存続しているものである。　
（１０）登録第４３０２０５１号商標　
「ヒッツ」の文字と「ＨＩＴＳ」の文字を上下２段に横書きしてなり、平成５年６月２３日登録出願、第６類に属する商標登録原簿に記載のとおりの商品を指定商品として平成１１年８月６日に設定登録されたものであり、現に有効に存続しているものである。　
（１１）登録第４３１７６８１号商標　
「ＨＩＴＳ」の文字を横書きしてなり、平成７年１２月１４日登録出願、第２５類に属する商標登録原簿に記載のとおりの商品を指定商品として平成１１年９月２４日に設定登録されたものであり、現に有効に存続しているものである。　
（１２）登録第４３３６５８２号商標　
「ＦＩＴＳ」の文字（標準文字による）よりなり、平成１０年１月２１日登録出願、第３５類、第３７類、第３８類及び第４１類に属する商標登録原簿に記載のとおりの役務を指定役務として平成１１年１１月１９日に設定登録されたものであり、現に有効に存続しているものである。　
（１３）登録第４６３０２４５号商標　
「ＨＩＴＺ」の文字（標準文字による）よりなり、平成１３年１１月３０日登録出願、第９類及び第１１類に属する商標登録原簿に記載のとおりの商品を指定商品として平成１４年１２月１３日に設定登録されたものであり、現に有効に存続しているものである。　
（１４）登録第４６３４９５２号商標　
「ＨＩＴＺ」の文字（標準文字による）よりなり、平成１４年１月３０日登録出願、第６類、第１９類及び第２８類に属する商標登録原簿に記載のとおりの商品を指定商品として平成１５年１月１０日に設定登録されたものであり、現に有効に存続しているものである。　
（以下、これらをまとめて「引用各商標」という。）　
　
第３　当審の判断　
１．本願商標は、別掲（１）のとおり、「ＪＣ−ＨＩＴＳ」の文字の左上部に図形を配してなるところ、文字部分と図形部分それぞれが独立して自他商品、役務の識別標識としての機能を果たし得るものといえる。そして、本願商標の文字部分「ＪＣ−ＨＩＴＳ」についてみると、該構成文字は外観上まとまりよく一体に表現されていて、これより生ずる「ジェーシーヒッツ」の称呼も、よどみなく一連に称呼できるものである。そして、たとえ、構成中の「ＪＣ」の文字部分が、商品の品番・型番、役務の種別等を表す記号・符号の一類型と認識される場合があるとしても、かかる構成においては、該文字部分を記号・符号とみるよりは、むしろ、構成全体をもって一体不可分のものと認識し把握されるとみるのが自然である。　
　そうすると、本願商標は、その構成文字全体に相応して、「ジェーシーヒッツ」の称呼のみを生ずるものと判断するのが相当である。　
　したがって、本願商標から「ＨＩＴＳ」の文字部分を要部抽出して、これより「ヒッツ」の称呼をも生ずるとし、そのうえで、本願商標と引用各商標とが称呼上類似するものとして、本願商標を商標法第４条第１項第１１号に該当するとした拒絶の理由は妥当なものということができない。　
２．前記、１．で述べたとおり、本願商標を構成する文字部分「ＪＣ−ＨＩＴＳ」は、一体不可分のものと認識し把握されるものであるから、その構成中に、「ＪＣ」の文字を有してなるものであるからといって、該文字部分を抽出し、「ＪＣ」の文字部分が、「日本の国内で外国企業の株券を発行し流通させる方式の一つ」で日本身代わり証券の英語表記である「Japan Certificate」の略語を表すものと認識されるとするのは困難といわなければならない。
　したがって、本願商標は、これをそのいずれの指定役務について使用しても、役務の質について誤認を生じさせるおそれはない。　
３．本願指定役務中「税務相談，税務代理」は、前記補正により削除されたから、商標法第３条第１項柱書きの要件を具備しないとする拒絶の理由は解消した。　
４．したがって、本願商標が商標法第３条第１項柱書きに該当するものとした拒絶の理由は解消し、同法第４条第１項第１１号及び同法第４条第１項第１６号に該当するとした原査定は、妥当ではなく、取り消しを免れない。　
　その他、政令で定める期間内に本願について拒絶の理由を発見しない。　
　よって、結論のとおり審決する。